(57)【特許請求の範囲】
【請求項１】
両側端を開口部(13)とした横長筒体の内部に、仕切壁(2)を垂設して左右一対の収納部(3)を隔離形成すると共に、該各収納部(3)の頂壁(4)部分に、比較的狭い取出口(6)をそれぞれ開設し、かつ該取出口(6)を開閉する上蓋(10)を回動可能に連結した本体(1)と、前記両開口部(13)を開閉すべく、前記本体(1)の両側端部に密に着脱可能に組み付けられる一対の横蓋(14)と、から成り、前記各取出口(6)において、前記各収納部(3)に収納されたシート状物集合体(16)からシート状物を一枚ずつ取出し可能に構成したシート状物用容器。
【請求項２】
本体(1)を硬質合成樹脂製とすると共に、横蓋(14)を軟質合成樹脂製とした請求項１記載のシート状物用容器。
【請求項３】
上蓋(10)を、各収納部(3)毎に別々に設けた請求項１または２記載のシート状物用容器。
【請求項４】
シート状物をウェットティッシュとした請求項１、２または３記載のシート状物用容器。
【発明の詳細な説明】
【０００１】
【発明の属する技術分野】
本発明は、シート状物を一枚ずつ取出し可能に収納する、シート状物用容器に関するものである。
【０００２】
【従来の技術】
この種のシート状物用容器として、上部に十字形スリット等の狭い取出口を設けると共に、内部に、破断可能なミシン目を介して帯状に連結したシート状物集合体を収納し、取出口からシート状物集合体の一端を引き出すことにより、この取出口での抵抗によりミシン目を破断し、もって、シート状物を順次一枚ずつ取出せるようにしたものが知られている。
【０００３】
【発明が解決しようとする課題】
ところで、代表的なシート状物であるウェットティッシュには、無臭のもの、香料入りのもの、アルコールを含浸させた除菌性のもの等、種々のタイプのものが市販されているが、上記した従来技術にあっては、一種類のシート状物しか収納できないので、使用者が多種類のシート状物を使いたい場合には、それぞれ別個の容器を購入、用意しなければならないため、費用が嵩むと共に、取扱いも不便になっている、と云う問題があった。
【０００４】
そこで、本発明は、上記した従来技術における問題点を解消すべく創案されたもので、二種類のシート状物を、それぞれ一枚ずつ取出し可能に、かつ補充可能に収納することを技術的課題とし、もって、使用者が費用を節約できるようにすると共に、取扱い性を向上させることを目的とする。
【０００５】
【課題を解決するための手段】
上記技術的課題を解決する本発明の内、請求項１記載の発明の手段は、
両側端を開口部とした横長筒体の内部に、仕切壁を垂設して左右一対の収納部を隔離形成すると共に、各収納部の頂壁部分に、比較的狭い取出口をそれぞれ開設し、かつこの取出口を開閉する上蓋を回動可能に連結した本体を有すること、
本体の両開口部を開閉すべく、本体の両側端部に密に着脱可能に組み付けられる一対の横蓋を有すること、
本体の各取出し口において、各収納部に収納されたシート状物集合体からシート状物を一枚ずつ取出し可能に構成したこと、
にある。
【０００６】
この請求項１記載の発明にあっては、本体には仕切壁で隔離された一対の収納部が形成されているので、各収納部に、種類の異なるシート状物集合体を、互いの臭いや含有成分等が混ざり合うことなく収納することができる。
【０００７】
使用時には、上蓋を開け、所望するシート状物を指先で摘んで、取出口から引出すと、狭い取出口での適度な抵抗により一枚ずつ分離し、容易に取出すことができる。
【０００８】
シート状物を使い切った場合には、シート状物の無くなった収納部側方の横蓋を開け、その開口部から新しいシート状物集合体を補充すればよい。
【０００９】
請求項２記載の発明は、請求項１記載の発明の構成に、本体を硬質合成樹脂製とすると共に、横蓋を軟質合成樹脂製とした、ことを加えたものである。
【００１０】
この請求項2記載の発明にあっては、横蓋による各収納部の密閉を強力にかつ確実に達成することが容易となり、また本体に対する横蓋の着脱が、比較的容易に行うことができる。
【００１１】
請求項３記載の発明は、請求項１記載の発明の構成に、上蓋を、各収納部毎に別々に設けた、ことを加えたものである。
【００１２】
この請求項３記載の発明にあっては、各収納部の取出口を、個々に開閉することができるので、収納部の無駄な開放をなくして、収納されているシート状物の不要な乾燥を少なくすることができる。
【００１３】
請求項４記載の発明は、請求項１記載の発明の構成に、シート状物をウエットティッシュとした、ことを加えたものである。
【００１４】
この請求項４記載の発明にあっては、組合わせ使用頻度の高いウエットティッシュを、二種類一体的に収納することができるので、ウエットティッシュの使用のし易さが飛躍的に高められる。
【００１５】
【発明の実施の形態】
以下、本発明の一実施例を、図面を参照しながら説明する。
ポリプロピレン等の比較的硬質な合成樹脂により、横長筒状に成形された本体１は、その内部中央に仕切壁２を垂設して左右一対の収納部３を隔離形成すると共に、頂壁４の上面には、上蓋１０が面一に収容される凹部５が陥没形成されている。
【００１６】
この凹部５内の頂壁４の、各収納部３の中央部分に対応する位置には、前後方向に長い長円形状の両側内縁に、複数本の弾性を有する抑え片７をそれぞれ突設して形成した比較的狭い取出口６を開設すると共に、各取出口６の周縁には、長円短筒形状の係止筒片８が立設されている。なお、取出口６を、十字形スリット等で形成してもよい。
【００１７】
後端をヒンジ９により、開閉回動可能に頂壁４に結合された上蓋１０は、その前端に指掛け片１１を突設すると共に、下面に、前記係止筒片８に密に、かつ弾性的に係脱可能に外嵌するシール筒片１２を垂下設している（図２参照）。
【００１８】
本体１の両側端の各開口部１３を開閉する横蓋14は、低密度ポリエチレン等の比較的軟質な合成樹脂で成形されており、内面の周縁部に、本体１の側端部が密に、かつ弾性的に係脱可能に嵌入する係合溝１５を設けることにより、本体1に着脱可能に構成されている。
【００１９】
本体1の各収納部3に収納されるシート状物集合体１６は、例えば、ミシン目を介してシート状物であるウエットティッシュが帯状に連続したもの、あるいは、ティッシュペーパーのように、多数のウエットティッシュが重ね合わされたもの等、一枚ずつに容易に分離可能なものであればよく、また、予め詰め替え用の袋容器に収納されているものであってもよい。
【００２０】
図３は、本発明の他の実施例を示すもので、上蓋１０を、両収納部３に別々に対応すべく二つに分割して設け、両収納部3の取出口６をそれぞれ独立して開閉するようにしたものである。
【００２１】
【発明の効果】
本発明は、上記した構成となっているので、以下に示す効果を奏する。
請求項１記載の発明においては、本体には仕切壁で隔離された一対の収納部が形成されているので、各収納部に、種類の異なるシート状物集合体を、互いの臭いや含有成分等が混ざり合うことなく収納することができると共に、各取出口からそれぞれ一枚ずつシート状物を取出すことができるため、使用者は種類の異なるシート状物毎に別個の容器を購入、用意する必要がなく、もって、費用を節約することができると共に、取扱いも簡単便利になる。
【００２２】
シート状物を使い切った場合には、各収納部側方の横蓋を開け、その開口部から新しいシート状物集合体を補充することができるので、高い利便性を発揮することができる。
【００２３】
請求項２記載の発明においては、収納部の密閉を強力にかつ確実に達成することができると共に、収納部の開閉を比較的容易に行うことができる。
【００２４】
請求項３記載の発明においては、両収納部の取出口を、それぞれ独立して開閉することができるので、収納されたシート状物の不要な乾燥を少なくすることができ、これによりシート状物の良好な収納保持を達成することができる。
【００２５】
請求項４記載の発明においては、使用頻度の高い二種類のウエットティッシュを一体的に収納することができるので、この二種類のウエットティッシュの使用のし易さを飛躍的に高めることができる。
【図面の簡単な説明】
【図１】本発明の一実施例を示す、全体斜視図。
【図２】図１に示した実施例の、半縦断正面図。
【図３】本発明に他の実施例を示す、全体斜視図。
【符号の説明】
１  ；  本体
２  ；  仕切壁
３  ；  収納部
４  ；  頂壁
５  ；  凹部
６  ；  取出口
７  ；  抑え片
８  ；  係止筒片
９  ；  ヒンジ
１０  ；  上蓋
１１  ；  指掛け片
１２  ；  シール筒片
１３  ；  開口部
１４  ；  横蓋
１５  ；  係合溝
１６  ；  シール状物
【図１】
0003972979.tif 000002
【図２】
0003972979.tif 000003
【図３】
0003972979.tif 000004